(57)【要約】      （修正有）【課題】従来、書類を保存するためのファイルは数多く市販されている。しかし、税法上長期間保存することを義務づけられている財務書類を保存するための専用ファイルが存在しなかったので、会計事務所等の使用者は不便を感じていた。そこで本考案は、財務書類を長期間保存するのに適した、使いやすい財務書類の保存用ファイルの提供を目的とする。【解決手段】表表紙２及び裏表紙４とを折り目を介して連結した背表紙３とからなる表紙１と、表紙の高さと略同じ長さの基板７に用紙を挿通させる綴じ棒１１を４本立設し、その基板に対してヒンジ部１０を介して背板８を、さらに背板に対して同じくヒンジ部を介して綴じ板９を連設し、綴じ板に係止穴部を設け、綴じ棒の先端部に係止頭部を設けて弾性的に着脱自在に構成した綴じ具５とで構成し、その綴じ具を合成樹脂で一体成形する。【選択図】図１
0003103995.tif 000002
【実用新案登録請求の範囲】
【請求項１】
表表紙及び裏表紙とを折り目を介して連結した背表紙とからなる表紙と、基板に、用紙を挿通させる綴じ棒を立設し、基板に対してヒンジ部を介して背板を、さらに前記背板に対して同じくヒンジ部を介して綴じ板を連設して、前記綴じ板に係止穴部を設け、前記綴じ棒の先端部に係止頭部を設け、前記係止穴部と前記係止頭部が弾性的に嵌め合い係合、離脱可能に構成した綴じ具とからなる財務書類の保存用ファイルにおいて、前記基板の長さを前記表紙の高さと略等しく、ないしは、若干短く設定し、前記綴じ棒を前記基板より４本、所定のピッチで立設し、前記綴じ具を合成樹脂により一体成形したことを特徴とする財務書類の保存用ファイル。
【請求項２】
前記基板の長手方向に、前記基板と略直角に補強板を立設した、請求項１記載の財務書類の保存用ファイル。
【請求項３】
前記表紙は、少なくとも表面を紙で構成し、かつ、その紙にコーティング処理を施していないことを特徴とする、請求項１または２記載の財務書類の保存用ファイル。
【請求項４】
前記綴じ棒の外径が４ｍｍから６ｍｍの範囲にすることにより、市販のルーズリーフの用紙がそのまま使用可能である、請求項１ないし請求項３記載の財務書類の保存用ファイル。
【考案の詳細な説明】
【技術分野】
【０００１】  本考案は、税法上長期にわたり保存が義務づけられている財務書類の保存用ファイルに関するものである。
【背景技術】
【０００２】  企業等は、総勘定元帳、税務書類等の財務書類を長期保存することを税法上義務づけられている。当該書類は、会計事務所等において作成し、ファイルされて顧客企業等に納入されるが、中小企業においても通常３００ページ以上にも渡る厚く、かつ、重量のあるものである。上記のような、厚く、かつ、重量のある書類を、従来市販されている２穴綴じ具によるファイルを使用して長期に渡り保存した場合、用紙に明けた綴じ穴が書類の重量に耐えきれずに穴径が拡大したり、千切れたりしてしまう等の不具合を生じていた。また、ルーズリーフ（ＴＭ）等の多穴のファイルは長期保存用としてはコスト的に高いと共に、多穴用紙は穴明き部分の腰が弱いため、プリンタで印刷したときに紙詰まりを起こしやすいものであった。
そこで、従来、会計事務所等においては、図１に示すような、表表紙、背表紙、裏表紙からなる綴じ具に書類を挟んで、４カ所以上を紐などで綴って財務書類のファイルを作成している。
【考案の開示】
【考案が解決しようとする課題】
【０００３】  このように従来の２穴綴じ具によるファイルは、長期保存において、綴じ穴の損傷によって書類の形崩れを起こしやすいという問題があった。
また、ルーズリーフ（ＴＭ）等の多穴のファイルは、長期保存用としてはコスト的に高いと共に、多穴用紙をプリンタで印刷したときに、用紙の穴明き部分の腰が弱いため、紙詰まりを起こしやすいと言う問題があった。
また、前記の会計事務所等で使用している綴じ具にあっては、３個の部材に書類を挟み込み、紐などで綴じ込む必要があり、綴じ込み作業が非常に面倒で手間を要する問題があった。さらに、書類の変更などに伴う差し替えに当たっては、結束した綴じ紐を解き、再度綴じ直す必要があり、非常に手間のかかるものであった。
従って、本考案はこのような問題点を解決した財務書類の保存用ファイルを提供することを目的とする。
【課題を解決するための手段】
【０００４】  上記目的は本願の最初の考案、すなわち、表表紙２及び裏表紙４とを折り目を介して連結した背表紙３とからなる表紙１と、基板７に用紙を挿通させる綴じ棒１１を立設し、基板７に対してヒンジ部１０を介して背板８を、さらに前記背板８に対して同じくヒンジ部１０を介して綴じ板９を連設して、前記綴じ板９に係止穴部１３を設け、前記綴じ棒１１の先端部に係止頭部１２を設け、前記係止穴部１３と前記係止頭部１２が弾性的に嵌め合い係合、離脱可能に構成した綴じ具５とからなる財務書類の保存用ファイルにおいて、前記基板７の長さを前記表紙１の高さと略等しく、ないしは、若干短く設定し、前記綴じ棒１１を前記基板７より４本、所定のピッチで立設し、前記綴じ具５を合成樹脂により一体成形したことを特徴とする財務書類の保存用ファイルによって達成できる。【０００５】  また、上記目的は本願の２番目の考案、すなわち、前記基板７の長手方向に、前記基板７と略直角に補強板１４を立設した、請求項１記載の財務書類の保存用ファイルによって達成できる。【０００６】  また、上記目的は本願の３番目の考案、すなわち、前記表紙１は、少なくとも表面を紙で構成し、かつ、その紙にコーティング処理を施していないことを特徴とする、請求項１または２記載の財務書類の保存用ファイルによって達成できる。【０００７】  また、上記目的は本願の４番目の考案、すなわち、前記綴じ棒１１の外径が４ｍｍから６ｍｍの範囲にすることにより、市販のルーズリーフの用紙がそのまま使用可能である、請求項１ないし請求項３記載の財務書類の保存用ファイルによって達成できる。
【考案の効果】
【０００８】  本考案は、上記構成であるから次の特有の効果を有する。本考案の財務書類の保存用ファイルは、ファイル高さのほぼ全長にわたって所定のピッチで設けた４本の綴じ棒１１に用紙に明けた綴じ穴を挿通してファイルするので、前記綴じ穴にかかる書類の重量を４本の綴じ棒１１に分散させて負担させる。そのため、前記綴じ穴の損傷を抑え、長期間にわたり型くずれせず、見栄えの良いファイルを作成できる。また、綴じ具５を合成樹脂で一体成形するので、軽量、かつ、安価なファイルとすることができる。さらに、綴じ具５の綴じ板９を開閉するだけで、用紙の部分的な入れ替えが容易にでき、会計事務所等での手間を簡略化することができる。【０００９】  また、綴じ具５の基板７の長手方向に、前記基板７と略直角に補強板１４を立設することによりファイルの剛性を高め、長期間にわたり型くずれせず、見栄えの良いファイルを作成できる。【００１０】  また、表紙１の、少なくとも表面を紙で構成し、かつ、その紙にコーティング処理を施していないので、表紙１にゴム印等で自在に印字することができる。【００１１】  また、綴じ棒１１の外径が４ｍｍから６ｍｍの範囲にすることにより、市販のルーズリーフがそのまま使用することができる。
【考案を実施するための最良の形態】
【００１２】  以下、添付図面に従って本考案の一実施例を説明する。
図１は本考案の財務書類の保存用ファイルの全体図である。図２は本考案の綴じ具の断面図である。表紙１は、表表紙２、背表紙３、裏表紙４がそれぞれ折り目を介して互いに屈曲自在に連結されている。裏表紙４の裏面の折り目付近には、表紙１の高さと略同じ長さの綴じ具５がリベット６で固定されている。綴じ具５は、基板７、背板８，綴じ板９で構成され、それぞれがヒンジ部１０を介して屈強自在に連結されている。基板７には用紙に明けられた綴じ穴を挿通するための綴じ棒１１が４本立設されている。４本の綴じ棒１１は基板７の上部と底部、および、中央部２カ所に所定のピッチで配置されている。綴じ棒１１をこのように配置することにより、用紙に明けられた綴じ穴にかかる荷重を分散させることができる。綴じ板９には係止穴部１３が設けられ、また、綴じ棒１１の先端部には係止頭部１２が設けられており、係止穴部１３と係止頭部１２は弾性的に嵌め合い係合、離脱可能に構成されている。これにより、綴じ板９を回動して、簡単に用紙を綴じ込んだり取り外したりできるようになっている。綴じ具５の材質は合成樹脂であり、射出成形などで一体成形するので安価に製作できる。【００１３】  図３は綴じ具５に補強板１４を設けた実施例である。補強板１４は綴じ具５の基板７に対して略直角に立設しており、用紙の綴じ込みを妨げない位置に、基板７のほぼ全長にわたって設けられている。補強板１４によって、ファイルが変形することを防止できる。【００１４】  表紙１は厚紙の表面に樹脂コーティングを施していない薄紙を糊等で貼り付けたものである。したがって、表紙にゴム印などで必要事項を自在に印字することができる。
【図面の簡単な説明】
【００１５】
【図１】本考案の財務書類の保存用ファイルの全体図である。
【図２】本考案の綴じ具の断面図である。
【図３】本考案の綴じ具に補強板を付加したものの断面図である。
【図４】従来の財務書類の保存用ファイルの全体図である。
【符号の説明】
【００１６】  １  表紙
２  表表紙
３  背表紙
４  裏表紙
５  綴じ具
６  リベット
７  基板
８  背板
９  綴じ板
１０  ヒンジ部
１１  綴じ棒
１２  係止頭部
１３  係止穴部
１４  補強板
【図１】
0003103995.tif 000003
【図２】
0003103995.tif 000004
【図３】
0003103995.tif 000005
【図４】
0003103995.tif 000006